(57)【要約】【課題】長期の使用により、毛束保持部材への接着剤の接着力が低下しても、毛束保持部材からの毛束の抜けを確実に防止できるブラシを提供する。【解決手段】ブラシ１０は、横長の略長方形状で肉厚の柄部１１と、柄部１１の底面に立設された複数の小ブラシ部１５とにより構成されている。小ブラシ部１５は、毛束１６とこれを支持する樹脂製の毛束保持部材１７とにより構成されている。毛束保持部材１７は、下端側の締付部１８とその内側の位置決め部１９と、ネジ溝を有する中間部２１と、上側部２２とを有し、上側部２２外周面の１箇所に貫通孔２３を設けている。小ブラシ部１５は、柄部１１の取付孔１２に接着用の樹脂２５を収容した状態で上端側から挿入することにより、位置決め部１９が取付孔１２の開口周囲に当るまで挿入され、硬化した樹脂２５に螺着した状態になる。【選択図】図４
2009022560.tif 000002
【特許請求の範囲】
【請求項１】
一方向に複数の毛材を揃えて束ねた毛束の一端側が筒状の毛束保持部材内に挿嵌されると共に、該毛束保持部材内において該毛束に含浸されて硬化した接着剤によって該毛束保持部材に固着されており、該毛束保持部材が取付部にて柄部の取付孔に挿嵌されて該柄部に取り付けられてなるブラシにおいて、前記取付部の外周面にネジ溝を設け、一方前記柄部の取付孔にネジ溝を設け、前記取付部を前記取付孔に螺着させることにより前記毛束保持部材が前記柄部に取り付けられていることを特徴とするブラシ。
【請求項２】
一方向に複数の毛材を揃えて束ねた毛束の一端側が筒状の毛束保持部材内に挿嵌されると共に、該毛束保持部材内において毛束に含浸されて硬化した接着剤によって該毛束保持部材に固着されており、該毛束保持部材が柄部の取付孔に挿嵌されて該柄部に取り付けられてなるブラシにおいて、前記毛束保持部材が筒状本体と該筒状本体の一端側に取り付けられた取付部材とからなり、該取付部材は、中心軸部と、該中心軸部から径方向外方向に延びて先端側が前記筒状本体に係合する連結部とを備えると共に、前記中心軸部の前記筒状本体から突出した突出部の外周面にネジ溝を設けており、前記取付部材は接着剤によって該筒状本体に一体で固定されており、一方前記柄部の取付孔底部にネジ孔を設け、前記突出部を前記ネジ孔に螺着させることにより前記毛束保持部材が前記柄部に取り付けられていることを特徴とするブラシ。
【請求項３】
前記取付部材は柔軟性を有する樹脂材料製であり、前記連結部は、前記中心軸部の軸方向一箇所にて外周面の３箇所以上にて、外方向に膨らんだ円弧状に延びた薄板である連結片と、該連結片の前記突出部側の外周縁からわずかに延びて前記筒状本体の端部に当接する係合片とを設けたことを特徴とする請求項２に記載のブラシ。
【発明の詳細な説明】
【技術分野】
【０００１】
本発明は、毛束の一端側が筒状の毛束保持部材内に挿嵌されると共に、毛束に含浸されて硬化した接着剤によって毛束保持部材に固着され、毛束保持部材が柄部に取り付けられてなるブラシに関する。
【背景技術】
【０００２】
従来、この種のブラシとしては、例えば特許文献１に示すように（図１８参照）、毛束１の一端側が円筒形状の毛束保持部材２内に挿嵌されると共に、毛束１に含浸されて硬化した接着剤によって毛束保持部材２に固着され、毛束保持部材２の取付部３を柄部４一端に設けた取付孔５内に圧入により取り付けられたブラシが開示されている。このブラシは、机上で用いられるもので、毛束保持部材２や柄部４が装飾性を有する高価なものであり、そのため、毛束１が損耗した場合には、毛束保持部材２に毛束１を付け替えて、毛束保持部材２を柄部４の取付孔３に圧入させるようになっている。しかし、このブラシは、毛束保持部材２が取付孔５内に圧入により取り付けられているのみなので、長期の使用により、両者間にゆるみが生じ、その結果、毛束保持部材が取付孔から抜けやすくなるという問題がある。これに対し、毛束保持部材の取付孔からの抜けを防止するために、毛束保持部材を取付孔に接着したり強く圧入し過ぎたりすると、毛束保持部材が取付孔から抜けなくなり、そのため、毛束が損耗したとき、ブラシ全体を廃棄しなければならなくなり、高価な柄部が無駄になるという問題もある。
【特許文献１】意匠登録第１２３７３０１号公報
【発明の開示】
【発明が解決しようとする課題】
【０００３】
本発明は、上記問題を解決しようとするもので、長期の使用によっても、毛束保持部材と柄部の間の結合の緊密さが維持され、柄部からの毛束保持部材の脱落を確実に防止でき、しかも毛束保持部材の交換も容易なブラシを提供することを目的とする。
【課題を解決するための手段】
【０００４】
上記目的を達成するために、本発明の構成上の特徴は、一方向に複数の毛材を揃えて束ねた毛束の一端側が筒状の毛束保持部材内に挿嵌されると共に、毛束保持部材内において毛束に含浸されて硬化した接着剤によって毛束保持部材に固着されており、毛束保持部材が取付部にて柄部の取付孔に挿嵌されて柄部に取り付けられてなるブラシにおいて、取付部の外周面にネジ溝を設け、一方柄部の取付孔にネジ溝を設け、取付部を取付孔に螺着させることにより毛束保持部材が柄部に取り付けられていることにある。
【０００５】
上記のように構成した本発明においては、取付部の外周面にネジ溝を設け、柄部の取付孔にネジ溝を設けたことにより、毛束が接着剤によって固着された毛束保持部材の取付部を柄部の取付孔に螺着させられて、毛束保持部材が柄部に強固に取り付けられる。その結果、本発明においては、ブラシの長期の使用によっても、毛束保持部材と柄部の間の結合の緊密さが維持されるため、柄部からの毛束保持部材の脱落を確実に防止できる。一方、毛束が損耗した場合には、毛束保持部材を柄部から簡単に取り外すことができ、新たな毛束の毛束保持部材を柄部に簡単に取り付けることが出来るので、高価な柄部を継続して使用することができる。
【０００６】
また、本発明の他の特徴は、一方向に複数の毛材を揃えて束ねた毛束の一端側が筒状の毛束保持部材内に挿嵌されると共に、毛束保持部材内において毛束に含浸されて硬化した接着剤によって毛束保持部材に固着されており、毛束保持部材が柄部の取付孔に挿嵌されて柄部に取り付けられてなるブラシにおいて、毛束保持部材が筒状本体と筒状本体の一端側に取り付けられた取付部材とからなり、取付部材は、中心軸部と、中心軸部から径方向外方向に延びて先端側が筒状本体に係合する連結部とを備えると共に、中心軸部の筒状本体から突出した突出部の外周面にネジ溝を設けており、取付部材は接着剤によって筒状本体に一体で固定されており、一方柄部の取付孔底部にネジ孔を設け、突出部をネジ孔に螺着させることにより毛束保持部材が柄部に取り付けられていることにある。
【０００７】
他の特徴においては、筒状本体に別部材である取付部材を取り付けて接着剤によって接着させることにより、毛束保持部材の一端側に、外方に突出したネジ溝を有する突出部を簡易に設けることができる。一方、柄部の取付孔底部にネジ孔が設けられているので、突出部をこのネジ孔に螺着させることにより毛束保持部材が柄部に強固に取り付けられる。その結果、本発明においても、ブラシの長期の使用によっても、毛束保持部材と柄部の間の結合の緊密さが維持されるため、柄部からの毛束保持部材の脱落を確実に防止できる。また、毛束が損耗した場合には、毛束保持部材を柄部から簡単に取り外すことができ、新たな毛束の毛束保持部材を柄部に簡単に取り付けることが出来るので、高価な柄部を継続して使用することができる。
【０００８】
また、他の特徴において、取付部材は柔軟性を有する樹脂材料製であり、連結部は、中心軸部の軸方向一箇所にて外周面の３箇所以上にて、外方向に膨らんだ円弧状に延びた薄板である連結片と、連結片の突出部側の外周縁からわずかに延びて筒状本体の端部に当接する係合片とを設けたことができる。
【０００９】
これにより、連結部が柔軟性を有する樹脂材料製であるため、連結片は径方向に変形可能になっている。そのため、筒状本体の内径が異なるものに対しても、連結片は径方向に変形することにより、装着可能になり、外側の係合片によって筒状本体の端部に取り付けられる。毛束の取り付けられた筒状本体に取付部材を取り付けて接着剤によって接着させることにより、毛束保持部材の一端側に、外方に突出したネジ溝を有する突出部を簡易に設けることができる。その結果、本発明においては、柄部からの毛束保持部材の脱落を確実に防止できると共に、内径が異なる種々の筒状本体に対して単一の取付部材で対応できるため、取付部材の製造コストおよび管理コストを大幅に低減できる。
【発明の効果】
【００１０】
本発明においては、毛束が固着された毛束保持部材の取付部あるいは毛束保持部材の筒状本体に別部材である取付部材を柄部の取付孔に螺着させることにより、束保持部材が柄部に強固に取り付けられ、その結果、ブラシの長期の使用によっても、柄部からの毛束保持部材の脱落を確実に防止できる。また、本発明においては、毛束が損耗した場合には、毛束保持部材を柄部から簡単に取り外すことができ、新たな毛束の毛束保持部材を柄部に簡単に取り付けることが出来るので、高価な柄部を継続して使用することができる。また、ブラシを廃棄するとき、柄部が可燃物である木製の場合は、毛束と毛束保持部材が不燃物であることから、毛束保持部材を柄部から取り外すことにより、ごみの分別が容易になる。さらに、本発明においては、取付部材の連結部を、外側に係合片を有する連結片で構成した場合には、内径の異なる複数種類の筒状本体に対して、一種類の取付部材で対応できるため、取付部材の製造コストおよび管理コストを大幅に低減できる効果が得られる。
【発明を実施するための最良の形態】
【００１１】
以下、本発明の一実施例について図面を用いて説明する。図１〜図４は、実施例１に係る調理、清掃等に用いられるブラシを正面図、底面図、平面図及び断面図により概略的に示したものである。ブラシ１０は、横長の略長方形状で肉厚の柄部１１と、柄部１１の底面の６箇所に立設された６個の小ブラシ部１５とにより構成されている。以下、ブラシの一端と他端については、図の左端を一端、右端を他端に合わせるものとする。
【００１２】
柄部１１は、樹脂製あるいは木製で、上面１１ａと底面１１ｂが互いに平行な平面であるが、底面１１ｂにおいて長手方向中央から他端側寄り位置において他端に向けてわずかに傾斜した傾斜面１１ｃになっている。傾斜面１１ｃに対応した部分において、柄部１１の側面１１ｄが切りかかれて放物線状に突出した形状になっている。さらに、側面１１ｄの上面１１ａから厚さ方向略１／３の外周部１１ｅが、上面１１ａに向けて円弧状に丸められており、柄部１１が握りやすいようにされている。傾斜面１１ｃ左側の底面１１ｂには、小ブラシ部１５を取り付けるための取付孔１２が左端から右端にかけてそれぞれ２個、１個、２個、１個の６個が長手方向に交互に等間隔でかつ幅方向に対称な位置にそれぞれ設けられている。また、柄部１１の幅方向中央でかつ他端近傍位置には、釣下げ孔１３が厚さ方向に貫通して設けられており、紐等を通して吊るすのに用いられる。
【００１３】
小ブラシ部１５は、図５〜図８に示すように、毛束１６と、これを支持する樹脂製の毛束保持部材１７とにより構成されている。毛束１６は、天然繊維製や、アクリル、ポリプロピレン、ＰＢＴ，ナイロン等の化学繊維製や、動物の毛等の毛材を用い、毛の量、長さ、素材の混合比を調整して束ね、または毛の量、長さを調整した単一原料の素材を円柱形に束ねたものであり、長手方向の略半分が毛束保持部材１７内全体に緊密に挿嵌されるようになっている。
【００１４】
毛束保持部材１７は、樹脂製の円筒状で両端が開放された中心孔１７ａを有する薄肉の筒状体である。樹脂材料は、ＡＢＳ，ＰＰ等であり、銀の微粒子を含んだ防黴性を有したものが好ましい。毛束保持部材１７は、長手方向をほぼ１／３で仕切った下側部と中間部と上側部に分けられており、下側部は、下端側の締付部１８とその内側の位置決め部１９になっている。位置決め部１９は、円板形状で合ってその外径が柄部１１の取付孔１２の内径より大きくなっている。締付部１８は、位置決め部１９の周方向４箇所を切り欠いて軸方向から見て正方形に形成されており、毛束保持部材１７を取付孔１２に締め付ける際に締付治具（図示しない）を係合させて締め付けを容易にするために用いられる。中間部２１は、取付部に相当するものであり、取付孔１２よりわずかに小径であり、外周面には同軸状にネジ溝が形成されている。上側部２２は、中間部２１よりさらに小径であり、外周面の１箇所に貫通孔２３を設けている。毛束保持部材１７内には毛束１６の一端側が挿入されており、毛束保持部材１７内に接着剤２４が注入されて毛束１６に含浸されて硬化しており、接着剤２４の一部は貫通孔２３内に進入して係止部２４ａとなっている。なお、貫通孔２３の数については、１個に限らず２個以上であってもよい。
【００１５】
小ブラシ部１５の形成については、毛束１６の一端側略半分を毛束保持部材１７内全体に挿入し、毛束保持部材１７の貫通孔２３を外側からテープ等で塞いで、毛束保持部材１７内全体に接着剤２４を注入し、毛束保持部材１７内の毛束１６に含浸させる。これにより、毛束１６に浸透した接着剤２４の一部が貫通孔２３内にも進入し、接着剤２４が硬化することによって小ブラシ部１５に形成される。ここで、接着剤２４の一部が貫通孔２３に進入して硬化した係止部２４ａによって毛束１６が毛束保持部材１７に強固に取り付けられた状態になる。
【００１６】
このように形成された小ブラシ部１５は、柄部１１の取付孔１２に接着用の樹脂２５を収容した状態で上端側から挿入することにより、位置決め部１９が取付孔１２の開口周囲に当るまで挿入される。ここで、取付孔１２に収容した樹脂２５と毛束保持部材１７の中間部とは、接着性が良くない組合せとすることにより、樹脂２５の硬化後にネジ溝を有する中間部２１を利用して毛束保持部材１７を回して取付孔１２から取り外すことができ、小ブラシ部１５を簡単に取り替えることができる。
【００１７】
上記実施例１によれば、毛束１６が接着剤２４によって固着された毛束保持部材１７の中間部２１が、柄部１１の取付孔１２内の樹脂２５に実質的に螺着された状態になっていることにより、毛束保持部材１７が柄部１１に強固に取り付けられる。その結果、実施例１においては、ブラシ１０の長期の使用によっても、毛束保持部材１７と柄部１１の間の結合の緊密さが維持されるため、柄部１１からの毛束保持部材１７の脱落を確実に防止できる。また、実施例１によれば、樹脂２５に対して、ネジ溝を有する中間部２１を利用して毛束保持部材１７を回すことにより、毛束保持部材１７を取付孔１２から取り外すことができる。これにより、毛束の痛んだ小ブラシ部１５のみを選んで簡単に取り替えることができるため、高価な柄部１１及び小ブラシ部１５の有効活用が可能になり、相対的にブラシ１０のコストを低減できる。また、ブラシ１０を廃棄するとき、柄部１１が可燃物である木製の場合は、小ブラシ部１５が不燃物であることから、小ブラシ部１５を柄部１１から取り外すことにより、ごみの分別が容易になる。
【００１８】
また、実施例１によれば、毛束１６に含浸された接着剤２４の一部が毛束保持部材１７に設けた貫通孔２３内にも一体で充填されて係止部２４ａとなっていることにより、毛束１６が係止部２４ａによって貫通孔２３に係止された状態となっている。その結果、実施例１においては、ブラシ１０の長期の使用により、小ブラシ部１５の毛束保持部材１７に対する接着剤２４の接着力が低下しても、毛束保持部材１７からの毛束１６の抜けを確実に防止できる。さらに、毛束保持部材１７が防黴性の樹脂材料で形成されていることにより、水分による毛束の黴の発生を抑制できる。なお、実施例１においては、取付孔１２内に樹脂２５が収容され、その中に小ブラシ部１５の中間部２１が螺着された状態になっているが、これに代えて、取付孔１２に直接ネジ孔を形成するようにしてもよい。
【００１９】
つぎに、上記実施例２について図面を用いて説明する。図９は、実施例２に係るブラシである泡立て用ブラシを正面図により示し、図１０は、毛束及び毛束保持部材を一体にしたものを一部破断面図により示し、図１１は、柄部を一部破断面図により示したものである。泡立て用ブラシ３０は、円柱状の毛束３１と、毛束３１を保持する毛束保持部材３２と、毛束保持部材３２に取り付けられる柄部５１とを備えている。なお、実施例２においてブラシ３０の上下は、図９の上下に合わせるものとする。
【００２０】
毛束３１は上記毛束１６と同様の毛材を束ねたものである。毛束保持部材３２は、図１２，図１３に示すように、金属製あるいは樹脂製の薄肉のストレートな円筒形の筒状本体３３と、その軸方向下端に取り付けられた取付部材３８とを設けている。筒状本体３３は、軸方向中間位置において径方向に対応する２箇所にそれぞれ貫通孔３４を有している。なお、貫通孔３４の数については、１個でも３個以上でもよい。
【００２１】
取付部材３８は、樹脂製で、円筒状の中心軸部３９と、その外周面の周方向に等間隔な３箇所にて軸直角方向に延びた連結片４３を一体で設けている。中心軸部３９は、軸孔３９ａを有しており、上端側の大径部４１と、下端側の大径部４１より径の小さい突出部４２とを有しており、突出部４２外周面にはネジ溝が同軸状に形成されている。連結片４３は、大径部４１の突出部４２との境界位置にて外周面から径方向にわずかに突出した幅の細い断面長方形の棒状の基部４４と、基部４４先端から外方に円弧状に延びた基部４４と略同一断面形状の棒状の円弧部４５と、円弧部４５の外周縁に沿って断続的に外方にわずかに突出した円弧形の係合片４６とを設けている。
【００２２】
円弧部４５は、大径部４１に対して径方向外方に徐々に広げられており、その先端と基部４４の間が中心角で略９０°になるまで延びており、先端が無拘束状態で配置されている。係合片４６は、円弧部４５の突出部４２側の端部からわずかに突出した薄肉片になっている。また、連結片４３は、柔軟性と弾性を有しており、そのため、円弧部４５を軸心方向に次の基部４４に接触するまで曲げることが可能であると共に弾性反力によって元の形状に復帰可能になっている。その結果、中心軸部３９を中心とした連結片４３先端を結んだ仮想の円の径は、円弧部４５を曲げない最大値と、円弧部４５が基部４４に接触するまでに最大に曲げた最小値との間で変化が可能になる。
【００２３】
取付部材３８は、図１２，図１３に示すように、筒状本体３３の一端に対して、突出部４２が下方外側に突出した状態で、連結片４３の曲げの程度を調整して係合片４６を筒状本体３３に重ね合わせることにより仮に取り付けられる。また、上記筒状本体３３より２０％程度径の小さい筒状本体３３Ａに対しては、図１４，図１５に示すように、連結片４３を基部４４の方向に適宜折り曲げて径を小さくすることにより、筒状本体３３Ａに重ね合わせることが可能である。
【００２４】
毛束３１は、図１０に示すように、一端側の略１／３長さの部分が、毛束保持部材３２内の上側から略３／４程度の部分に挿入され、毛束保持部材３２によって締め付けられており、根元部から先端に向けて軸心に対して径方向外方にわずかに広がった円錐状になっており、先端面が軸方向外方にわずかに膨出した凸曲面状になっている。毛束保持部材３２内には接着剤３５が注入されており、毛束３１に含浸した接着剤３５の一部が貫通孔３４内にも進入して硬化した係止部３６になっている。これにより、接着剤３５で一体に結合された毛束３１が、貫通孔３４に進入した係止部３６によって貫通孔３４に係止した状態になり、その結果、毛束３１が毛束保持部材３２に強固に取り付けられた状態になる。毛束保持部材３２への接着剤３５の注入については、実施例１と同様、毛束保持部材３２の貫通孔３４を外側からテープ等で塞いで、毛束保持部材３２内に接着剤３５を注入することにより行われる。さらに、毛束３１が取り付けられた筒状本体３３に、接着剤３７を注入して取付部材３８を被せて取り付けることにより、取付部材３８が筒状本体３３に固定されて毛束保持部材３２として形成される。
【００２５】
柄部５１は、図１１に示すように、木製の柱状であって、その上端５３ａと下端５４ａが長手方向に対して直角な平坦面となっており、軸方向の中間部分が全周にわたって軸心方向に向けて曲面状に凹んだ凹み部５２になっている。柄部５１の凹み部５２を挟んだ軸方向の上端側がほぼ円筒状で長さの短い取付部５３であり、軸方向の下端側が下端近傍を中心として軸方向の両側に広がる径方向外方に山状に膨らんだ膨れ部５４になっており、全体として略ひょうたん形状になっている。膨れ部５４の外径は、毛束３１の外径よりわずかに大きくされている。これにより、柄部５１の膨れ部５４を手で握って指先を凹み部５２に当てることにより、手で容易に把持できる形状になっている。取付部５３には、上端面５３ａから凹んだ円形の取付孔５５が設けられている。取付孔５５は、内径が上記毛束保持部材３２の外径と同等であり、その深さは、毛束保持部材３２の軸方向長さの略半分の長さになっており、その中央にネジ溝を有するネジ孔５６が形成されている。上記毛束３１が固定された毛束保持部３２を柄部５１の取付孔５５に挿嵌し、突出部４２を取付孔５５に螺着させることにより、毛束保持部材３２が柄部５１に固定され、泡立ブラシ３０が得られる。
【００２６】
上記実施例２によれば、筒状本体３３に別部材である取付部材３８を装着させて内部に注入された接着剤３７によって接着させることにより、毛束保持部材３２の一端側に、外方に突出したネジ溝を有する突出部４２を簡易に設けることができる。一方、柄部５１の取付孔５５にはネジ溝が設けられているので、突出部４２を取付孔５５に螺着させることにより毛束保持部材３２が柄部５１に強固に取り付けられる。その結果、実施例２においても、ブラシ３０の長期の使用によっても、毛束保持部材３２と柄部５１の間の結合の緊密さが維持されるため、柄部５１からの毛束保持部材３２の脱落を確実に防止できる。また、毛束３１が損耗した場合には、毛束保持部材３２を柄部５１から簡単に取り外すことができ、新たな毛束３１の毛束保持部材３２を柄部５１に簡単に取り付けることが出来るので、高価な柄部５１を継続して使用することができる。また、ブラシ３０を廃棄するとき、柄部５１が可燃物である木製であり、毛束３１と毛束保持部材３２が不燃物であることから、毛束保持部材３２を柄部５１から取り外すことにより、ごみの分別が容易になる。
【００２７】
また、連結片４３が柔軟性と弾性を有する樹脂材料製であるため、径方向に変形可能になっている。そのため、筒状本体３３の内径が異なるものに対しても、連結片４３は径方向に変形することにより装着可能であり、外側の係合片４６によって筒状本体３３の端部に取り付けられる。取付部材３８を筒状本体３３の下端に装着させて内部に注入された接着剤３７によって接着させることにより、毛束保持部材３２の一端側に、外方に突出したネジ溝を有する突出部４２を簡易に設けることができる。その結果、実施例２においては、内径が異なる種々の筒状本体に対して単一の取付部材３８で対応できるため、取付部材３８の製造コストおよび管理コストを大幅に低減できる。
【００２８】
つぎに、上記実施例２の変形例について図面を用いて説明する。図１６、図１７は、変形例に係るブラシである泡立て用ブラシの毛束保持部材を底面図及び一部破断正面図により示したものである。変形例においては、毛束保持部材６１の筒状本体６２に取り付けられる取付部材６３が実施例２のものと異なっている。取付部材６３は、樹脂製で、円筒状の中心軸部６４と、その外周面の周方向に等間隔な３箇所にて径方向外方に延びた棒状の３個の連結片６７と、連結片６７の先端側を一体で連結する円環部６８とを一体で設けている。中心軸部６４は、上記中心軸部３９と同様であり、軸孔６４ａを有しており、上端側の大径部６５と、下端側の大径部６５より径の小さい突出部６６とを有しており、突出部６６外周面にはネジ溝が同軸状に形成されている。連結片６７は、大径部６５の突出部６６との境界位置にて径方向外方に延びている。円環部６８は、突出部６６側端部の外周縁に沿って外方にわずかに突出した円弧形の薄肉の係合片６９を設けている。このように、取付部材６３は、上記取付部材３８と異なり、円環部６８の外径が一定となっている。取付部材６３は、筒状本体６２の下端に円環部６８を挿入し係合片６９を当てることにより装着され、筒状本体６２内に注入した接着剤により筒状本体６２に固定される。
【００２９】
変形例においては、実施例２とは異なり、取付部材６３の外径が一定であるという制約があり、これに合わせた所定の内径の筒状部材６２に取り付けることにより、筒状部材６２の一端側に簡易に突出部６６を設けることができる。そのため、変形例においても、実施例２と同様に、毛束保持部材６１を柄部５１に抜けないようにかつ容易に取り外し可能に取り付けることができ、実施例２と同様の効果が得られる。その他、上記各実施例に示したブラシについては一例であり、本発明の趣旨を逸脱しない範囲において種々変更して実施することができる。
【産業上の利用可能性】
【００３０】
本発明のブラシは、毛束保持部材の取付部の外周面にネジ溝を設け、あるいは取付部材にネジ溝を有する突出部を設け、柄部の取付孔にネジ溝を設けたことにより、毛束が接着剤によって固着された毛束保持部材が柄部の取付孔に螺着させられて、毛束保持部材が柄部に強固に取り付けられる。その結果、本発明は、ブラシの長期の使用によっても、毛束保持部材と柄部の間の結合の緊密さが維持されるため、柄部からの毛束保持部材の脱落を確実に防止でき、また毛束保持部材の柄部からの取り外しも容易であるので、有用である。
【図面の簡単な説明】
【００３１】
【図１】本発明の実施例１に係るブラシを示す正面図である。
【図２】同ブラシを概略的に示す底面図である。
【図３】同ブラシの毛束部を示す平面図である。
【図４】同ブラシを示す図３のＩＶ−ＩＶ線方向の断面図である。
【図５】同ブラシを構成する小ブラシ部を示す正面図である。
【図６】小ブラシ部を示す側面図である。
【図７】小ブラシ部を示す底面図である。
【図８】小ブラシ部を示す図６のＶＩＩＩ−ＶＩＩＩ線方向の断面図である。
【図９】実施例２である泡立て用ブラシを概略的に示す正面図である。
【図１０】同泡立て用ブラシの毛束と毛束保持部材を示す部分断面図である。
【図１１】同泡立て用ブラシの柄部を示す部分断面図である。
【図１２】同泡立て用ブラシを構成する毛束保持部材を示す底面図である。
【図１３】同毛束保持部材を示す部分断面図である。
【図１４】筒状本体の異なる毛束保持部材を示す底面図である。
【図１５】筒状本体の異なる毛束保持部材を示す部分断面図である。
【図１６】実施例２の変形例である毛束保持部材を示す底面図である。
【図１７】変形例である毛束保持部材を示す部分断面図である。
【図１８】従来例である泡立て用ブラシを概略的に示す正面図である。
【符号の説明】
【００３２】
１０…ブラシ、１１…柄部、１２…取付孔、１５…小ブラシ部、１６…毛束、１７…毛束保持部材、２１…中間部、２５…樹脂、３０…ブラシ、３１…毛束、３２…毛束保持部材、３３…筒状本体、３８…取付部材、３９…中心軸部、４２…突出部、４３…連結片、４４…基部、４５…円弧部、４６…係合片、５１…柄部、５５…取付孔、５６…ネジ孔、６１…毛束保持部材、６３…取付部材。
【図１】
2009022560.tif 000003
【図２】
2009022560.tif 000004
【図３】
2009022560.tif 000005
【図４】
2009022560.tif 000006
【図５】
2009022560.tif 000007
【図６】
2009022560.tif 000008
【図７】
2009022560.tif 000009
【図８】
2009022560.tif 000010
【図９】
2009022560.tif 000011
【図１０】
2009022560.tif 000012
【図１１】
2009022560.tif 000013
【図１２】
2009022560.tif 000014
【図１３】
2009022560.tif 000015
【図１４】
2009022560.tif 000016
【図１５】
2009022560.tif 000017
【図１６】
2009022560.tif 000018
【図１７】
2009022560.tif 000019
【図１８】
2009022560.tif 000020